(57)【要約】  【課題】  飲料の保温性あるいは保冷性を向上させ、把持しても熱さや冷たさを感じにくくすることを前提とし、さらに、不使用時の持ち運びに優れ、かつ飲料ボトルを安定して置くことのできる飲料ボトル用カバーを提供する。  【解決手段】  本発明は、飲料ボトル１０の外表面を覆うことのできる飲料ボトル用カバー１であって、飲料ボトル１０の底部１５側に装着可能な底部装着部２と、底部装着部２に固定され飲料ボトル１０の外側面を被覆可能な筒状被覆部３と、筒状被覆部３の底部装着部２と反対側に接続される上部リング部５と、を備え、筒状被覆部３が上部リング部５を芯として底部装着部２までリング状に巻回可能な構造を持つ飲料ボトル用カバー１に関する。【選択図】図２
2017071417.tif 000002
【特許請求の範囲】
【請求項１】
飲料ボトルの外表面を覆うことのできる飲料ボトル用カバーであって、
前記飲料ボトルの底部側に装着可能な底部装着部と、
前記底部装着部に固定され、前記飲料ボトルの外側面を被覆可能な筒状被覆部と、
前記筒状被覆部の前記底部装着部と反対側に接続される上部リング部と、
を備え、
前記筒状被覆部が前記上部リング部を芯として前記底部装着部までリング状に巻回可能な構造を持つ飲料ボトル用カバー。
【請求項２】
前記底部装着部は、前記飲料ボトルの底部とその底部から続く前記外側面の一部を覆うトレイ形状を有する請求項１に記載の飲料ボトル用カバー。
【請求項３】
前記筒状被覆部が前記底部装着部の外底面を覆う形態である請求項１または請求項２に記載の飲料ボトル用カバー。
【請求項４】
前記筒状被覆部は、ゴム状弾性体の膜から主に成る請求項１から請求項３のいずれか１項に記載の飲料ボトル用カバー。
【請求項５】
前記ゴム状弾性体は、シリコーンゴムを含む請求項４に記載の飲料ボトル用カバー。
【発明の詳細な説明】
【技術分野】
【０００１】
本発明は、飲料ボトルの外側を覆う飲料ボトル用カバーに関する。
【背景技術】
【０００２】
金属容器あるいはペットボトルに封入された飲料は、コンビニエンスストアあるいはスーパーマーケットにおいて陳列される他、自動販売機にも多く貯蔵される大量消費型商品の一つである。この種の飲料を封入した容器は、季節に合わせて加温状態あるいは冷蔵状態で消費者に購入される機会が多いことから、消費者が飲料を口にする際に、購入時の温度の確保、手にとったときの持ちやすさ、一次的に放置したときの結露の防止などの様々な課題が発生する。
【０００３】
例えば、飲料の温度変化の低減、容器表面の結露防止、持ちやすくすること等を目的とした筒状の飲物容器用カバーが知られている（例えば、特許文献１を参照）。この飲物容器用カバーは、飲料容器の胴部外周を覆う筒状の周側壁と底部とを備え、上部を開口させて成り、周側壁の上端部に舌片を延設する形態を有する。また、別のカバーとして、ペットボトルを持ち歩いたときの良好な体裁と結露防止等を目的とした、パイル編みの生地から成る本体の両端にゴム編み部分を設けたペットボトルカバーも知られている（例えば、特許文献２を参照）。
【先行技術文献】
【特許文献】
【０００４】
【特許文献１】特開２０００−１４２７８２号公報
【特許文献２】実用新案登録第３０６３３９９号公報
【発明の概要】
【発明が解決しようとする課題】
【０００５】
しかし、上記従来の飲料容器用カバーには次のような問題がある。まず、特許文献１に開示されるカバーは、飲料容器を入れる形状を保持しているため、持ち運び易さに欠ける。次に、特許文献２に開示されるカバーは、カバー本体をパイル編みの生地から構成しているため、使用していない時には若干小さくすることはできるが、極端に小さくはできないので持ち運びの利便性が依然として低い。
【０００６】
本発明は、上記課題を解決するためになされたものであって、飲料の保温性あるいは保冷性を向上させ、把持しても熱さや冷たさを感じにくくするとともに、不使用時の持ち運びに優れる飲料ボトル用カバーを提供することを目的とする。
【課題を解決するための手段】
【０００７】
上記目的を達成するための一実施の形態に係る飲料ボトル用カバーは、飲料ボトルの外表面を覆うことのできる飲料ボトル用カバーであって、飲料ボトルの底部側に装着可能な底部装着部と、底部装着部に固定され飲料ボトルの外側面を被覆可能な筒状被覆部と、筒状被覆部の底部装着部と反対側に接続される上部リング部とを備え、筒状被覆部が上部リング部を芯として底部装着部までリング状に巻回可能な構造を持つ。
【０００８】
別の実施の形態に係る飲料ボトル用カバーは、さらに、底部装着部が飲料ボトルの底部とその底部から続く外側面の一部を覆うトレイ形状を有しても良い。
【０００９】
別の実施の形態に係る飲料ボトル用カバーは、また、筒状被覆部が底部装着部の外底面を覆う形態であっても良い。
【００１０】
別の実施の形態に係る飲料ボトル用カバーは、また、筒状被覆部がゴム状弾性体の膜から主に成るものでも良い。
【００１１】
別の実施の形態に係る飲料ボトル用カバーは、さらに、ゴム状弾性体がシリコーンゴムを含んでいても良い。
【発明の効果】
【００１２】
本発明によれば、飲料の保温性あるいは保冷性を向上させ、把持しても熱さや冷たさを感じにくくするとともに、不使用時の持ち運びに優れる飲料ボトル用カバーを提供することができる。
【図面の簡単な説明】
【００１３】
【図１】図１は、本発明の実施の形態に係る飲料ボトル用カバーを巻回してたたんだ状態の斜視図（１Ａ）およびその上面から径方向に沿って切断したときの断面図（１Ｂ）をそれぞれ示す。
【図２】図２は、図１の飲料ボトル用カバーを飲料ボトルに装着する直前の斜視図を示す。
【図３】図３は、図１の飲料ボトル用カバーを飲料ボトルに装着する時（３Ａ）、装着中（３Ｂ）および装着完了（３Ｃ）の推移を斜視にて示す。
【図４】図４は、図３と同様の推移を、飲料ボトル用カバーを断面視にて、また、飲料ボトルを側面視にてそれぞれ示す。
【発明を実施するための形態】
【００１４】
以下、本発明に係る飲料ボトル用カバーの実施の形態について、図面を参照しながら説明する。なお、以下に説明する実施の形態は本発明を限定するものではなく、また、実施の形態の中で説明されている諸要素およびその組み合わせの全てが本発明の解決手段に必須であるとは限らない。
【００１５】
図１は、本発明の実施の形態に係る飲料ボトル用カバーを巻回してたたんだ状態の斜視図（１Ａ）およびその上面から径方向に沿って切断したときの断面図（１Ｂ）をそれぞれ示す。図２は、図１の飲料ボトル用カバーを飲料ボトルに装着する直前の斜視図を示す。
【００１６】
この実施の形態に係る飲料ボトル用カバー１は、飲料ボトル１０の外側を覆うことのできるカバーであって、それをたたんだ状態の外形が中央に下方凹部４を有するカバーである。ここで、飲料ボトル１０は、図２の下から上に向かって、底部１５と、飲料ボトル１０の外側面を構成する側壁部１１と、側壁部１１の上方にあって側壁部１１に向かって徐々に径を拡大して成る拡径部１２と、拡径部１２の最小径部位に接する首部１３と、首部１３に螺合あるいは嵌合したキャップ１４と、を備える。飲料ボトル用カバー１は、飲料ボトル１０の底部１５側に装着可能な底部装着部２と、底部装着部２に固定され、飲料ボトル１０の側壁部１１の外側面を被覆可能な筒状被覆部３と、筒状被覆部３の底部装着部２と反対側に接続される上部リング部５と、を備える。飲料ボトル用カバー１は、筒状被覆部３を、上部リング部５を芯として底部装着部２までリング状に巻回可能な構造を持つ。
【００１７】
底部装着部２は、例えば、金属、樹脂、セラミックスあるいはガラスから好適に構成される。底部装着部２は、筒状被覆部３の収縮によって容易に変形しない程度の剛性を有するのが好ましい。底部装着部２は、飲料ボトル１０の底部１５（直径：  Ｄ２）を挿入可能となる下方凹部４（直径：  Ｄ１、Ｄ１＞Ｄ２）を備える。この実施の形態では、底部装着部２は、好ましくは、飲料ボトル１０の底部１５とその底部１５から続く側壁部１１の外側面の一部を覆うトレイ形状を有する。図２に示すように、飲料ボトル用カバー１の底部装着部２の下方凹部４を矢印Ａの方向に向かって飲料ボトル１０の底部１５に移動させると、当該下方凹部４に底部１５を嵌め込むことができる。その後、筒状被覆部３を上方に向かって移動させると、筒状被覆部３にて側壁部１１の外側面を覆うことができる。なお、底部装着部２は、トレイ形状ではなく平板あるいはリング形状でも良い。底部装着部２の形状をリング形状とする場合、底部装着部２の貫通孔は、飲料ボトル１０の底部１５の直径Ｄ２より小径である。
【００１８】
筒状被覆部３は、上部リング部５を芯として底部装着部２までリング状に巻回可能な構造を持つ。すなわち、筒状被覆部３は、ロールカーテンのように底部装着部２に向かって巻回可能である。筒状被覆部３は、好ましくは、底部装着部２の外周側に接続されている。また、筒状被覆部３は、好ましくは、ゴム状弾性体の膜から主に成る。ゴム状弾性体としては、シリコーンゴム；  ウレタンゴム；  エチレンプロピレンゴム；  ブチルゴム；  エチレンプロピレンジエンゴム；  ニトリルゴム；  エステル系、スチレン系、オレフィン系若しくはフッ素系等の熱可塑性エラストマーあるいはそれらの複合物である。それらの中でも、より好ましくは、シリコーンゴムを主として含むゴム状弾性体を用いることができる。
【００１９】
筒状被覆部３は、底部装着部２と好ましくは別体として底部装着部２と接着されているが、底部装着部２と一体物であっても良い。筒状被覆部３は、飲料ボトル１０の側壁部１１の外側面および拡径部１２にフィットするように予め成形されるのが好ましい。この実施の形態では、筒状被覆部３は、底部装着部２の外底面（単に、底面ともいう）を覆う形態を有する。この結果、筒状被覆部３をシリコーンゴムのようなゴム状弾性体にて構成した場合、飲料ボトル１０がテーブル上において結露に起因して滑る危険性を低減できる。ただし、筒状被覆部３は、底部装着部２の側面に固着されていて、必ずしも外底面まで覆っていなくても良い。特に、底部装着部２をシリコーンゴムのようなゴム状弾性体にて構成した場合には、筒状被覆部３にて底部装着部２の外底面まで覆う必要はない。筒状被覆部３の厚さは、好ましくは、０．５ｍｍ〜２．０ｍｍの範囲であり、より好ましくは０．８ｍｍ〜１．２ｍｍの範囲である。
【００２０】
上部リング部５は、その内径を、飲料ボトル１０の側壁部１１から拡径部１２の直径に応じて変形させ、側壁部１１あるいは拡径部１２にフィットするのが好ましく、そのために、樹脂あるいはゴムから構成するのが好ましい。ただし、上部リング部５は、ゴムなどの伸縮性を有する材料からなる輪に、ゴムに比べて硬質な材料から成るビーズを通して構成されても良い。かかる意味から、上部リング部５は、特にその構成材料に制約は無く、例えば、ゴム、樹脂、金属、セラミックスあるいはガラスから好適に構成される。また、上部リング部５の構造は、樹脂、金属、セラミックスあるいはガラスから成る芯材の表面にゴム状弾性体を被覆した多重構造とすることもできる。すなわち、上部リング部５は、少なくともその表面をゴム状弾性体から構成することができる。ここで、「少なくともその表面」であるから、ゴム状弾性体で構成する部分を該表面のみとしても良く、また該表面から中心までの全部であっても良い。上部リング部５の厚さ（直径でも良い）は、筒状被覆部３の厚さより大きい方が好ましい。飲料ボトル用カバー１にて飲料ボトル１０の拡径部１２までを覆った状態から上部リング５を芯として筒状被覆部３を巻く際に巻きやすくなるからである。
【００２１】
飲料ボトル用カバー１は、同一種若しくは異種のゴム状弾性体からそれぞれ成る底部装着部２、筒状被覆部３および上部リング部５を備えるものでも良い。例えば、底部装着部２、筒状被覆部３および上部リング部５を全てシリコーンゴムから構成しても良い。また、底部装着部２と上部リング部５をウレタンゴムで構成し、筒状被覆部３をシリコーンゴムから構成しても良い。
【００２２】
図３は、図１の飲料ボトル用カバーを飲料ボトルに装着する時（３Ａ）、装着中（３Ｂ）および装着完了（３Ｃ）の推移を斜視にて示す。図４は、図３と同様の推移を、飲料ボトル用カバーを断面視にて、また、飲料ボトルを側面視にてそれぞれ示す。
【００２３】
飲料ボトル用カバー１を飲料ボトル１０に装着する場合には、ユーザは、まず、飲料ボトル用カバー１の底部装着部２の内面を飲料ボトル１０の底部１５に当て、筒状被覆部３を矢印Ａの方向に移動する（３Ａ，４Ａを参照）。ユーザは、筒状被覆部３をさらに矢印Ａの方向に移動していくと、筒状被覆部３によって飲料ボトル１０の側壁部１１が徐々に覆われる（３Ｂ，４Ｂを参照）。ユーザは、筒状被覆部３を拡径部１２まで移動させると、上部リング部５が現れ、側壁部１１への筒状被覆部３による被覆が終了する（３Ｃ，４Ｃを参照）。
【００２４】
以上、本発明の一実施の形態に係る飲料ボトル用カバー１について説明したが、本発明は、上記実施の形態に限定されず、種々変形を施して実施できる。
【００２５】
例えば、筒状被覆部３は、好ましくはゴム状弾性体から構成されるが、樹脂フィルムのような非ゴム状弾性体で構成されていても良い。上部リング部５は、その一部に、紐などを通す穴を備えていても良い。これにより、飲料ボトル１０の持ち運びが容易になる。飲料ボトル用カバー１を飲料ボトル１０に装着完了した状態において、底部装着部２は、その内底面を必ずしも底部１５に接触させていなくても良く、当該内底面と底部１５との間に隙間があっても良い。
【産業上の利用可能性】
【００２６】
本発明は、飲料ボトル用のカバーに利用できる。
【符号の説明】
【００２７】
１    飲料ボトル用カバー
２    底部装着部
３    筒状被覆部
４    下方凹部
５    上部リング部
１０    飲料ボトル
１１    側壁部（外側面を含む部分）
１２    拡径部
１５    底部
【図１】
2017071417.tif 000003
【図２】
2017071417.tif 000004
【図３】
2017071417.tif 000005
【図４】
2017071417.tif 000006